(57)【要約】      （修正有）【課題】捕球時のショックを緩和可能な捕球具を提供する。【解決手段】第１親指挿入部、第１人差し指挿入部、第１中指挿入部、第１薬指挿入部、第１小指挿入部を備える捕球具であって、第１指挿入部のうちの少なくとも１つは、第１指挿入部の上に重ねて第２指挿入部１２，２２，３２，４２を備えている。第１指挿入部は、掌側内皮７１とその上に結合されるライニング内皮１１，２１，３１，４１により形成され、第２指挿入部１２，２２，３２，４２は、ライニング内皮１１，２１，３１，４１の上に結合されるフードベース１３，２３，３３，４３及びフードカバー１４，２４，３４，４４により形成され、フードベース１３，２３，３３，４３及びフードカバー１４，２４，３４，４４の間に指を挿入する空間部が形成される。【選択図】図４
2020146267.tif 000002
【特許請求の範囲】
【請求項１】
第１親指挿入部、第１人差し指挿入部、第１中指挿入部、第１薬指挿入部、第１小指挿入部を備える捕球具であって、
前記第１指挿入部のうちの少なくとも１つは、前記第１指挿入部の上に重ねて第２指挿入部を備えていることを特徴とする捕球具。
【請求項２】
前記第１指挿入部は、掌側内皮とその上に結合されるライニング内皮により形成され、
前記第２指挿入部は、前記ライニング内皮の上に結合されるフードベース及びフードカバーにより形成され、
前記フードベース及び前記フードカバーの間に指を挿入する空間部が形成されることを特徴とする請求項１に記載の捕球具。
【請求項３】
前記ライニング内皮と前記フードベースは、縫製及び／又は糊付けにより結合されることを特徴とする請求項２に記載の捕球具。
【請求項４】
前記ライニング内皮と前記フードベースは、指が挿入される根元部分が縫製され、他の部分は糊付けされていることを特徴とする請求項３に記載の捕球具。
【請求項５】
前記第２指挿入部の長さは、前記第１指挿入部の長さよりも短くなっていることを特徴とする請求項１〜３のいずれか１項に記載の捕球具。
【請求項６】
前記第２指挿入部の空間は、前記第１指挿入部の空間よりも狭くなっていることを特徴とする請求項２〜４のいずれか１項に記載の捕球具。
【発明の詳細な説明】
【技術分野】
【０００１】
本発明は、親指挿入部、人差し指挿入部、中指挿入部、薬指挿入部、小指挿入部を備える捕球具に関するものである。
【背景技術】
【０００２】
かかる捕球具として、下記特許文献１に開示される捕球具（野球用グローブ）が周知である。その外観は、特許文献１の図１に記載されている通りであり、５本の指に対応して、親指挿入部、人差し指挿入部、中指挿入部、薬指挿入部、小指挿入部を備えている。
【先行技術文献】
【特許文献】
【０００３】
【特許文献１】特開２００７−２４４７１７号公報
【発明の概要】
【発明が解決しようとする課題】
【０００４】
捕球具によりボールを捕球したときに捕球時のショックが指に伝わる。特に中指や人差し指には力が伝わりやすい。このショックを緩和するために特定の指（例えば、人差し指）を指挿入部に入れないで捕球具の外に出すプレーヤーもいる。しかしながら、指挿入部に指を挿入して使用するほうが捕球時の力が指に伝わりやすく確実かつ安全に捕球が可能になる。また、特に子供の場合は大人に比べて握力がないので、指挿入部に指をいれたときにグリップしやすい捕球具が求められている。
【０００５】
本発明は上記実情に鑑みてなされたものであり、その課題は、ユーザーが指挿入部に指をいれて使用する場合に、ユーザーの状況に応じて選択肢を与えることが可能な捕球具を提供することである。
【課題を解決するための手段】
【０００６】
上記課題を解決するため本発明に係る捕球具は、
第１親指挿入部、第１人差し指挿入部、第１中指挿入部、第１薬指挿入部、第１小指挿入部を備える捕球具であって、
前記第１指挿入部のうちの少なくとも１つは、前記第１指挿入部の上に重ねて第２指挿入部を備えていることを特徴とするものである。
【０００７】
かかる構成による捕球具の作用・効果を説明する。この構成によると、第１指挿入部に重ねて第２指挿入部が設けられている。５つある指挿入部のうち任意の指挿入部に第２指挿入部を設けることができ、それは１つのみでもよいし最大５つ（すべての指挿入部）設けてもよい。第２指挿入部に指を挿入することで第１指挿入部の場合と比べて間に皮が１枚以上介在することになり、ショックアブソーバーとして機能する。また、例えば、第１指挿入部と第２指挿入部の内部空間の大きさを変えるなどすることで、特に子供にとってグリップしやすいほうの指挿入部を選択できるようになる。これにより、ユーザーの状況（大人か子供か、男性か女性か、体格の大小など）に応じて、選択肢を与えることが可能な捕球具を提供することができる。
【０００８】
本発明に係る前記第１指挿入部は、掌側内皮とその上に結合されるライニング内皮により形成され、前記第２指挿入部は、前記ライニング内皮の上に結合されるフードベース及びフードカバーにより形成され、前記フードベース及び前記フードカバーの間に指を挿入する空間部が形成されることが好ましい。
【０００９】
この構成によると、フードベース及びフードカバーにより第２指挿入部が形成されて、これを第１指挿入部の上に結合すればよい。従って、フードベースとライニング内皮の厚みの分、ショックアブソーバーとして機能させることができる。
【００１０】
本発明において、前記ライニング内皮と前記フードベースは、縫製及び／又は糊付けにより結合されることが好ましい。
【００１１】
縫製と糊付けによりライニング内皮とフードベースを確実に結合することができる。縫製のみでもよいし、糊付けのみでもよい。縫製と糊付けを組み合わせてもよい。
【００１２】
本発明に係る前記ライニング内皮と前記フードベースは、指が挿入される根元部分が縫製され、他の部分は糊付けされていることが好ましい。
【００１３】
これにより、指が挿入される入口でもある根元部分を確実に結合させ、前記ライニング内皮と前記フードベースの面同士を糊付けにより密着させることができる。
【００１４】
本発明において、前記第２指挿入部の長さは、前記第１指挿入部の長さよりも短くなっていることが好ましい。
【００１５】
これにより、第１指挿入部の上に第２指挿入部を重ねる場合に、その結合作業（工程）が行いやすくなる。
【００１６】
本発明において、前記第２指挿入部の空間は、前記第１指挿入部の空間よりも狭くなっていることが好ましい。
【００１７】
これにより、第２指挿入部に指を挿入した場合にフィット感を出すことができる。
【図面の簡単な説明】
【００１８】
【図１】本発明に係るグローブを甲側から見た外観図
【図２】本発明に係るグローブを掌側から見た外観図
【図３】第１指挿入部を主として示す甲側から見た平面図
【図４】図３に対して第２指挿入部を設けた平面図と、第２指挿入部を構成する部材を合わせて示す図
【図５】第２人差し指挿入部を形成する工程を説明する図
【図６】第２人差し指挿入部を形成する工程を説明する図
【図７】第２人差し指挿入部を形成する工程を説明する図
【図８】第２人差し指挿入部を形成する工程を説明する図
【図９】掌側内皮に第１指挿入部と第２指挿入部を構成する部材を結合するときの工程を示す図
【図１０】第２指挿入部を第１指挿入部の上に糊付けする工程を示す図
【図１１】第１指挿入部のすべてに指を挿入した状態を示す図
【図１２】第２指挿入部のすべてに指を挿入した状態を示す図
【図１３】第１指挿入部のすべてに指を挿入した状態を示す図（第２指挿入部なし）
【図１４】図４のＡ−Ａ断面を示す図
【図１５】第１指挿入部に指を挿入した状態の断面図
【図１６】第２指挿入部に指を挿入した状態の断面図
【発明を実施するための形態】
【００１９】
本発明に係る捕球具の好適な実施形態をまず説明する。捕球具の例として野球用やソフトボールのグローブ、特に野手の使用するグローブをあげて説明する。
【００２０】
図１は、本発明に係るグローブの甲側から見た外観図を示し、図２は同じく掌側から見た外観図を示す。なお、掌側から見た外観図は、従来技術も本発明も同じである。
【００２１】
グローブは、親指部１、人差し指部２、中指部３、薬指部４、小指部５を備えており、それぞれ各指が挿入される空間部を有している。親指部１と人差し指部２の間にはウェブ６が形成される。ウェブ６は、図２の点線で囲まれるエリアである。グローブの下方には、指を挿入するための手挿入口７が設けられる。
【００２２】
グローブは、掌側は掌側外皮７０と甲側外皮７２が縫製により結合される。また、掌側内皮７１（図１参照）と甲側内皮（不図示）が縫製により結合される。次いで、外皮同士のパーツと内皮同士のパーツを組み合わせて縫製した後、紐により結合する。
【００２３】
図３は、第１指挿入部を主として示す甲側から見た平面図である。グローブの内部に設けられるものであり、図３においては外観を構成する部材を省いている。この図３は、基本的に従来技術と同じである。図４は、図３に対して第２指挿入部を設けた平面図と、第２指挿入部を構成する部材を合わせて示す図である。
【００２４】
図３に示すように、第１指挿入部は、第１親指挿入部１０、第１人差し指挿入部２０、第１中指挿入部３０、第１薬指挿入部４０、第１小指挿入部５０を有している。なお、特定の指を示さないときは、単に第１指挿入部と称する。
【００２５】
第１親指挿入部１０は、掌側内皮７１の上に親指ライニング（ＬＩＮＩＮＧ）内皮１１を縫製することで形成され、第１人差し指挿入部２０は、掌側内皮７１の上に人差し指ライニング内皮２１を縫製することで形成され、第１中指挿入部３０は、掌側内皮７１の上に中指ライニング内皮３１を縫製することで形成され、第１薬指挿入部４０は、掌側内皮７１の上に薬指ライニング内皮４１を縫製することで形成され、第１小指操作部５０は、掌側内皮７１の上に小指ライニング内皮５１を縫製することで形成される。また、隣接する各ライニング内皮同士も縫製して結合され、強度を確保している。掌側内皮７１とそれぞれのライニング内皮の間に指を入れる空間が形成される。
【００２６】
図４において、第１親指挿入部１０の上に（甲側に）第２親指挿入部１２が形成され、第１人差し指挿入部２０の上に第２人差し指挿入部２２が形成され、第１中指挿入部３０の上に第２中指挿入部３２が形成され、第１薬指挿入部４０の上に第２薬指挿入部４２が形成される。なお、本実施形態では、第２小指挿入部に相当するものは形成されていない。なお、特定の指を示さないときは、単に第２指挿入部と称する。
【００２７】
第２親指挿入部１２は、親指フードベース（ＨＯＯＤＢＡＳＥ）１３と親指フードカバー（ＨＯＯＤＣＯＶＥＲ）１４により形成され、第２人差し指挿入部２２は、人差し指フードベース２３と人差し指フードカバー２４により形成され、第２中指挿入部３２は、中指フードベース３３と中指フードカバー３４により形成され、第２薬指挿入部４２は、薬指フードベース４３と薬指フードカバー４３により形成される。なお、これらの部材の結合方法については後述する。
【００２８】
図４からも分かるように、第２指挿入部の指を挿入する方向に沿った長さは、第１指挿入部よりも短くなるように設定されている。かかる長さ設定にすることで、第２指挿入部を第１指挿入部の上に結合する工程を行いやすくできる。また、布地の面積を少なくすることもできる。
【００２９】
次に、第２指挿入部を形成する工程（作業）について説明する。図５は、図６は、第２人差し指挿入部２２を形成する工程を説明する図である。なお、他の指に関しても同様であるので説明は省略する。
【００３０】
人差し指ライニング内皮２１の上に人差し指フードベース２３を重ねて、その根元部分を縫製２３ａにより結合する。図５は、甲側から見た図である。図６は、重ねた状態を裏面（掌側）から見た図である。根元部分が縫製２３ａにより結合されている。人差し指ライニング内皮２１の指を挿入する方向に沿った長さは、人差し指フードベース２３よりも長くなっている。縫製２３ａは円弧状に形成されている。
【００３１】
図７は、図５の状態から更に人差し指フードカバー２４を重ねた状態を示す。人差し指フードベース２３と人差し指フードカバー２４は、縫製２４ａにより結合される。縫製２４ａは、指の輪郭に沿った逆Ｕ字状に沿って行われる。根元部分には縫製はされないので、根元部分から指を挿入することができる。図８は、図７を裏面（掌側）から見た図である。人差し指ライニング内皮２１と人差し指フードベース２３と人差し指フードカバー２４とは、まとめて縫製２４ｂにより結合される。これにより、第２人差し指挿入部２２と第１人差し指挿入部２０の強固な結合を実現することができる。
【００３２】
図９は、掌側内皮７１に第１指挿入部と第２指挿入部を構成する部材を結合するときの工程を示す図である。（Ａ）は図５〜図８の工程を経て製作されたユニット同士を結合した状態を示す。隣接するフードカバー同士（境界近傍：Ｂ１，Ｂ２，Ｂ３で示す）を縫製により結合し、かつ、隣接するフードベース及びライニング内皮同士（境界近傍：Ｂ１，Ｂ２，Ｂ３で示す箇所であるが図示はされない。）を縫製により結合することで、（Ａ）に示すようなユニットを製作することができる。
【００３３】
（Ｂ）に示すように、、掌側内皮７１には小指挿入孔形成部材５２が縫製５３により結合される。小指挿入孔形成部材５２には、紐部５２ａが２カ所形成される。小指挿入孔形成部材５２は内部で折り返されて、図３に示すように、小指ライニング内皮５１に形成された孔から紐部５２ａが引っ張り出される。（Ｃ）は（Ａ）と（Ｂ）を縫製により結合した状態を示す。
【００３４】
図１０は、第２指挿入部を第１指挿入部の上に糊付けする工程を示す図である。ライニング内皮とフードベースとは縫製２３ａにより結合されているが、それ以外の部分は結合されていない。そこで、図１０に示すように、フードベース（第２指挿入部）をめくりあげて、ライニング内皮とフードベースの向かい合う面同士を糊付けにより結合する。糊付け部分を多数の点で表示している。これにより、第２指挿入部を第１指挿入部の上に強固に結合させることができる。
【００３５】
図１１は、第１指挿入部のすべてに指を挿入した状態を示し、図１２は、第２指挿入部のすべてに指を挿入した状態を示す。図１３は、第１指挿入部のすべてに指を挿入した状態を示す図であるが、第２指挿入部が存在しない状態（従来技術と同じ）を示す図である。なお、指挿入部の使用態様は上記に限定されるものではない。人差し指のみを第２人差し指挿入部２２に挿入したり、中指のみや、薬指のみを第２中指挿入部３３や、第２薬指挿入部４３に挿入するような使用態様、プレーヤーの好む２本あるいは３本の指を第２指挿入部に挿入して使用する態様など、種々の使用態様が考えられる。
【００３６】
図１４は、図４のＡ−Ａ断面図を示す。図１５は、第１指挿入部に指を挿入した状態の断面図を示す。図１６は、第２指挿入部に指を挿入した状態の断面図を示す。なお、図１４〜ず１６は、人差し指の指挿入部の断面図であるが、他の指に関しても同じである。
【００３７】
図１４に示すように、第１人差し指指挿入部２０の方が第２人差し指挿入部２２の空間よりも広くなっている。人差し指フードベース２３と人差し指フードカバー２４の間には目立った大きさの空間は形成されない。人差し指ライニング内皮２１と人差し指フードベース２３の間は糊付けにより密着状態にある。なお糊付けは無しでもよいが、糊で結合したほうが指の位置が安定しやすくなる。
【００３８】
図１５は、第１人差し指挿入部２０に人差し指Ｆを挿入した状態を示す。第２人差し指挿入部２２を少し上に持ち上げるような感じで人差し指Ｆが挿入される。図１６は、第２人差し指挿入部２２に人差し指Ｆを挿入した状態を示す。人差し指フードベース２３と人差し指ライニング内皮２１を下方に押し下げて、第２人差し指挿入部２２を広げるようにして指が挿入される。従って、指が少しタイトな感覚で挿入される。
【００３９】
図１５に示すように、第１人差し指挿入部２０に指を挿入した場合、捕球面との間に掌側外皮７０（図１５では不図示、図２参照）と掌側内皮７１が介在する。一方、第２人差し指挿入部２２に指を挿入した場合、捕球面との間に掌側外皮７０、掌側内皮７１に加えて、人差し指ライニング内皮２１と人差し指フードベース２３とが更に介在するので、捕球時のショックアブソーバーとして機能する。このように、第１指挿入部と第２指挿入部とでは指への力の伝わり方が異なり、プレーヤーは自分の好みに応じて第１指挿入部と第２指挿入部とを使い分けることができる。
【００４０】
＜別実施形態＞
本実施形態では、小指に関しては、第２小指挿入部を設けていないが、小指に関しても設けてよい。また、本実施形態では、小指を除く４本の指に第２指挿入部を形成しているが、任意の３本の指、２本の指、あるいは特定の指のみに第２指挿入部を形成してもよい。例えば、大人用の捕球具としてショックを緩和することを優先し人差し指のみに第２指挿入部を形成することができる。
【００４１】
例えば、子供用として（大人用でも可能）、中指と薬指に第２指挿入部を形成することができる。これにより、フィット感を出すことができ、指も引っ掛かりやすくなるためグリップしやすくなる。
【００４２】
第１指挿入部と第２指挿入部の空間の大きさ設定については、本実施形態のものに限定されるものではない。例えば、両者の断面がほぼ同じ程度の大きさになるように設定してもよい。
【００４３】
本発明に係る捕球具は、野球用・ソフトボール用グローブに限定されるものではなく、野球用・ソフトボール用ミットでもよく、あるいは、野球用・ソフトボール用以外の捕球具に対して適用してもよい。なお、ミットの場合は、親指挿入部以外は、１つの指挿入部として形成される（人差し指挿入部、中指挿入部、薬指挿入部、小指挿入部が１つの繋がった空間として形成される）が、かかる構成も本発明に含まれるものである。
【符号の説明】
【００４４】
１        親指部
２        人差し指部
３        中指部
４        薬指部
５        小指部
１０      第１親指挿入部
１１      親指ライニング内皮
１２      第２親指挿入部
１３      親指フードベース
１４      親指フードカバー
２０      第１人差し指挿入部
２１      人差し指ライニング内皮
２２      第２人差し指挿入部
２３      人差し指フードベース
２４      人差し指フードカバー
３０      第１中指挿入部
３１      中指ライニング内皮
３２      第２中指挿入部
３３      中指フードベース
３４      中指フードカバー
４０      第１薬指挿入部
４１      薬指ライニング内皮
４２      第２薬指挿入部
４３      薬指フードベース
４４      薬指フードカバー
５０      第１小指操作部
７０      掌側外皮
７１      掌側内皮
７２      甲側外皮
【図１】
2020146267.tif 000003
【図２】
2020146267.tif 000004
【図３】
2020146267.tif 000005
【図４】
2020146267.tif 000006
【図５】
2020146267.tif 000007
【図６】
2020146267.tif 000008
【図７】
2020146267.tif 000009
【図８】
2020146267.tif 000010
【図９】
2020146267.tif 000011
【図１０】
2020146267.tif 000012
【図１１】
2020146267.tif 000013
【図１２】
2020146267.tif 000014
【図１３】
2020146267.tif 000015
【図１４】
2020146267.tif 000016
【図１５】
2020146267.tif 000017
【図１６】
2020146267.tif 000018